【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
外科手術器具であって、
組織係合部、握り部材係合部、および、長さ部分を有する少なくとも１個の第１の拡張器部材と、
握り部および拡張器部材係合部を有する握り部材とを備えており、前記握り部材は前記第１の拡張器部材と取外し自在に係合可能であり、
前記握り部材と前記第１の拡張器部材とが係合状態になると、前記握り部材は前記第１の拡張器部材を外科手術用の開口部に埋め込むように作動することができる、
ことを特徴とする外科手術器具。
【請求項２】
前記拡張器部材係合部は、前記握り部材係合部に取外し自在に係合する形状に設定された解放自在な連結部を有していることを特徴とする、請求項１に記載の外科手術器具。
【請求項３】
前記解放自在な連結部は、少なくとも１個の球状戻り止め機構を有しており、前記拡張器部材の前記握り部材係合部は球状戻り止め機構の少なくとも一部を受け入れる形状に設定された凹部を有しており、前記球状戻り止め機構を凹部に嵌め合わせることで、前記握り部材が前記第１の拡張器部材に軸線方向にロックされるようにしたことを特徴とする、請求項２に記載の外科手術器具。
【請求項４】
前記握り部材の前記球状戻り止め機構が前記第１の拡張器部材の前記凹部と嵌合状態になってから、前記握り部材と前記第１の拡張器部材を分離させる方向に付与される軸線方向の力を与えることにより、前記球状戻り止め機構を前記凹部から離脱させることができることを特徴とする、請求項３に記載の外科手術器具。
【請求項５】
前記解放自在な連結部は少なくとも１個のバネ装填式のボタンを有していることを特徴とする、請求項２に記載の外科手術器具。
【請求項６】
前記握り部材は握り面と前記第１の拡張器部材の係合面との間に壁が配置されており、前記握り部材の前記壁には、前記第１の拡張器部材と前記握り部材が係合状態になると、前記握り部材の内部に前記第１の拡張器部材の少なくとも一部が在るのを視認することができるように、少なくとも１個の窓が配置されていることを特徴とする、請求項２に記載の外科手術器具。
【請求項７】
前記外科手術器具は握り部材係合部を設けた第２の拡張器部材を更に備えており、前記握り部材には前記第２の拡張器部材係合面が設けられており、前記握り部材と前記第２の拡張器部材は互いに取外し自在に係合することができることを特徴とする、請求項１に記載の外科手術器具。
【請求項８】
前記第１の拡張器部材には第１の内側寸法と第１の外側寸法があり、前記第２の拡張器部材には第２の内側寸法と第２の外側寸法があり、前記第２の内側寸法は前記第１の外側寸法よりも大きく、前記第２の拡張器部材の少なくとも一部を前記第１の拡張器部材の内側に入れ子式に受け入れることができるようにしたことを特徴とする、請求項７に記載の外科手術器具。
【請求項９】
前記握り部材の前記拡張器係合部は前記第１の拡張器部材および前記第２の拡張器部材に同時に係合するように構成されていることを特徴とする、請求項８に記載の外科手術器具。
【請求項１０】
前記握り部材は前記第１の拡張器部材および前記第２の拡張器部材と選択的に係合可能であるとともに、両拡張器部材から選択的に切り離し可能であることを特徴とする、請求項７に記載の外科手術器具。
【請求項１１】
前記第１の拡張器部材の少なくとも一部には第１の色が付されており、前記第２の拡張器部材の少なくとも一部には第２の色が付されており、前記第１の色と前記第２の色は異なり、拡張器寸法を視覚的に識別できるようにしたことを特徴とする、請求項１０に記載の外科手術器具。
【請求項１２】
前記握り部材は回転式保持機能を有しており、前記拡張器部材を握り部材に回転式に固定するようにしたことを特徴とする、請求項１に記載の外科手術器具。
【請求項１３】
前記回転式保持機能には粗面が設けられ、前記粗面は前記拡張器部材の対応する面に係合するような構成にされていることを特徴とする、請求項１２に記載の外科手術器具。
【請求項１４】
前記握り部材の前記拡張器係合面の少なくとも一部は円筒状であることを特徴とする、請求項１３に記載の外科手術器具。
【請求項１５】
前記拡張器部材の前記組織係合部には摩擦緩和被膜が設けられていることを特徴とする、請求項１に記載の外科手術器具。
【請求項１６】
前記拡張器部材の前記握り部材係合部には握りを向上させる構成が設けられていることを特徴とする、請求項１に記載の外科手術器具。
【請求項１７】
前記握りを向上させる構成の具体例には、畝、溝、粗面、被膜、または、それ以外の表層輪郭などがあることを特徴とする、請求項１６に記載の外科手術器具。
【請求項１８】
外科手術拡張器システムであって、
組織係合部とハンドル係合部を有する少なくとも第１の拡張器管材を備え、ハンドル係合部には第１の面機能を有している外面が設けられており、
さらに、ハンドル部を備え、前記ハンドル部は、
使用者が握れるような構成の外面と、
前記第１の拡張管材のハンドル係合部に係合するよう構成されているとともに、第１の面機能を有している内面とを有しており、
前記拡張器管材がハドルの内部に受け入れられると、互いに対応する面機能がハンドルに対して管材を軸線方向にロックし、ハンドルを握っている使用者が拡張器を外科手術開口に挿入することができるようにした、
ことを特徴とする、外科手術拡張器システム。
【請求項１９】
前記ハンドルに設けられている前記面機能の具体例は少なくとも１個の突起であり、前記拡張器管材に設けられている前記面機能の具体例は突起に対応する凹部であることを特徴とする、請求項１８に記載の外科手術拡張器システム。
【請求項２０】
前記ハンドルに設けられている前記面機能の具体例は球状戻り止め機構の球状部材であり、前記拡張器管材に設けられている前記面機能の具体例は球状部材に対応する凹部であることを特徴とする、請求項１８に記載の外科手術拡張器システム。
【請求項２１】
前記ハンドルは、前記内面と前記外面の間に第１の壁が配置されており、前記球状戻り止め機構は前記壁の少なくとも一部に配置されていることを特徴とする、請求項２０に記載の外科手術拡張器システム。
【請求項２２】
前記外科手術拡張器システムは第２の拡張器管材を更に備えており、前記管材は第２の面機能を有している外面が設けられた第２のハンドル係合部を有しており、前記ハンドルの内面は前記第２の拡張器管材のハンドル係合部に係合する構成になっており、前記ハンドルの内面には第２の面機能が設けられており、前記第２の拡張器管材が前記ハンドルの内側に受け入れられると、互い対応する面機能がハンドルに対して前記第２拡張器管材を暫定的に軸線方向にロックし、前記ハンドルを握っている使用者が前記第２の拡張器管材を外科手術開口に挿入することができるようにしたことを特徴とする、請求項１８に記載の外科手術拡張器システム。
【請求項２３】
前記第１の拡張器管材には第１の内側寸法および第１の外側寸法があり、前記第２の拡張器管材には第２の内側寸法および第２の外側寸法があり、前記第２の内側寸法は前記第１の外側寸法よりも大きく、前記第２の拡張器管材の少なくとも一部を前記第１の拡張器管材の内部に入れ子式に受け入れることができるようにしたことを特徴とする、請求項２２に記載の外科手術拡張器システム。
【請求項２４】
前記ハンドルの前記内面は前記第１の拡張器管材と前記第２の拡張器管材に同時に係合する構成にされていることを特徴とする、請求項２３に記載の外科手術拡張器システム。
【請求項２５】
前記ハンドルは前記第１の拡張器管材および前記第２の拡張器管材と選択的に係合可能であるとともに、両拡張器部材から選択的に切り離し可能であることを特徴とする、請求２４に記載の外科手術拡張器システム。
【請求項２６】
前記ハンドルには、互いに同心である第１穴と第２穴が設けられて降り、前記第１穴は前記第１の拡張器管材を受け入れる形状に設定されており、前記第２穴は前記第２の拡張器管材を受け入れる形状に設定されており、第１穴および第２穴には少なくとも１個の面機能が設けられて降り、前記面機能は前記第１の拡張器管材と前記第２の拡張器管材に設けられたそれぞれの対応する面機能に取外し自在に係合するよう構成されていることを特徴とする、請求項１８に記載の外科手術拡張器システム。
【請求項２７】
前記第１の拡張器管材は第１の半径方向寸法を有しており、前記第２の拡張器管材は第２の半径方向寸法を有しており、前記第１の半径方向寸法は前記第２の半径方向寸法よりも小さいことを特徴とする、請求項２６に記載の外科手術拡張器システム。
【請求項２８】
前記第１の拡張器管材は第１の長さを有しており、前記第２の拡張器管材は第２の長さを有しており、前記第１の長さは前記第２の長さよりも大きいことを特徴とする、請求項２７に記載の外科手術拡張器システム。
【請求項２９】
前記ハンドルは、前記外面と前記第１穴の間に第１の壁が配置されており、前記第１の壁の内側には第１の窓が配置されており、前記第１の窓は、前記第１の拡張器管材がハンドルの内部に設置されると、管材の少なくとも一部を観察することができるよう構成されていることを特徴とする、請求項２６に記載の外科手術拡張器システム。
【請求項３０】
前記ハンドルは、前記外面と前記第２穴の間に第２の壁が配置されており、前記第２の壁の内側には第２の窓が配置されており、前記第２の窓は、前記第２の拡張器管材が前記ハンドルの内部に設置されると、前記拡張器管材の少なくとも一部を観察することができるよう構成されていることを特徴とする、請求項２９に記載の外科手術拡張器システム。
【請求項３１】
前記第１穴および前記第２穴は、各々に回転式ロック面が設けられており、前記ロック面は、前記第１の拡張器管材および前記第２の拡張器管材のそれぞれの対応するロック面に係合して前記ハンドルを前記拡張器管材に回転式にロックするよう構成されていることを特徴とする、請求項２６に記載の外科手術拡張器システム。
【請求項３２】
前記第１穴の前記回転式ロック面には少なくとも１個の平坦部が設けられており、前記平坦部は、前記第１の拡張器管材の対応する平坦部に係合するよう構成されていることを特徴とする、請求項３１に記載の外科手術拡張器システム。
【請求項３３】
複数の拡張器部材を備え、前記複数の拡張器部材は、その各々に近位端および遠位端が設けられており、さらに、前記複数の拡張器部材の近位端に取外し自在に係合するよう構成された少なくとも１個のハンドルを備えることを特徴とするキット。
【請求項３４】
弾丸形状の拡張器を更に含むことを特徴とする、請求項３３に記載のキット。
【請求項３５】
前記ハンドルには軸線方向保持機能が設けられており、前記ハンドルに対して前記各々の拡張器部材を選択的に軸線方向にロックさせるようにしたことを特徴とする、請求項３３に記載のキット。
【請求項３６】
前記ハンドルには回転式保持機能が設けられており、前記拡張器部材を前記ハンドルに回転式に固定させることができるようにしたことを特徴とする、請求項３３に記載のキット。
【請求項３７】
作業カニューレを更に備えることを特徴とする、請求項３３に記載のキット。
【請求項３８】
少なくとも前記第１の拡張器部材と前記第２の拡張器部材は各々が内面寸法と外面寸法を有しており、前記第１の拡張器部材の外面の寸法は前記第２の拡張器部材の内面の寸法よりも小さいことを特徴とする、請求項３３に記載のキット。
【請求項３９】
前記第１の拡張器部材および前記第２の拡張器部材は各々が或る長さを有しており、前記第１の拡張器部材の長さは前記第２の拡張器部材の長さよりも大きいことを特徴とする、請求項３８に記載のキット。
【請求項４０】
前記取外し自在なハンドルには球状戻り止め機構が設けられており、前記拡張器部材のうちの少なくとも１個に係合するようにしたことを特徴とする、請求項３３に記載のキット。
【請求項４１】
前記取外し自在なハンドルにはバネ装填式の２位置ボタンが設けられており、前記ハンドルを少なくとも１個の拡張器部材と係合させたり、そこから離脱させることができるようにしたことを特徴とする、請求項３３に記載のキット。
【請求項４２】
前記取外し自在なハンドルには窓が設けられており、前記ハンドルの内側の前記拡張器部材のうちの１個の少なくとも一部を視認することができるようにしたことを特徴とする、請求項３３に記載のキット。
【請求項４３】
前記取外し自在なハンドルには少なくとも１個のカウンター穴が設けられており、前記取外し自在なハンドルが少なくとも１個の拡張器部材を滑動式に受け入れることができるようにしたことを特徴とする、請求項３３に記載のキット。
【請求項４４】
前記カウンター穴には平坦面が設けられており、前記平坦面は少なくとも１個の拡張器部材の対応する面と嵌合するよう構成されており、前記取外し自在なハンドルと前記拡張器部材が相関的に回転運動するのを阻止するようにしたことを特徴とする、請求項３３に記載のキット。
【請求項４５】
前記拡張器部材はカラーコード化されていることを特徴とする、請求項３３に記載のキット。
【請求項４６】
前記少なくとも１個の拡張器部材の遠位端は先細り状にされていることを特徴とする、請求項３３に記載のキット。
【請求項４７】
前記少なくとも１個の拡張器部材の遠位端には摩擦緩和被膜が設けられていることを特徴とする、請求項３３に記載のキット。
【請求項４８】
前記少なくとも１個の拡張器部材の近位端には、被膜、畝、粗面、または、それ以外の表層輪郭などが設けられていることを特徴とする、請求項３３に記載のキット。